(57)【要約】      （修正有）【課題】安価で、高いシールド効果と送信品質を得ることができるシールド部品を提供する。【解決手段】ケーブルを囲む又は巻く方式でアナログ信号及び／又はデジタル信号の送信に用いるシールド部品であって、一つ以上のシールド層１０００を含み、シールド層は最小限でケーブルを囲み、ケーブルの一端に装着される間隙部１４０とシールド層を固定する取付部１２０とを有し、間隙部の近くに位置してシールド操作を行うシールド部１００がさらに設けられ、一つ以上のシールド層のシールド部は互いに導電接続され、フィルター部品を介してケーブルの接地端子と直列接続され、シールド部は、絶縁チューブで包まれ、編組シールドに取り付けられ、残りのシールド部は、螺旋状で編組シールドを最小限に巻き、編組シールドの第１端と第２端の間に延伸する。【選択図】図１
0003228885.tif 000002
【実用新案登録請求の範囲】
【請求項１】
ケーブルを包む、巻くまたは囲む方式でアナログ信号および／またはデジタル信号、および／またはＡＣおよび／またはＤＣ電流を送信するシールド部品であって、一つ以上のシールド層、間隙部、取付部、シールド部を含み、
前記シールド層は、少なくとも一部のケーブルを包み、
前記間隙部は、好ましくは、ケーブルの一端に取り付けられ、前記間隙部はケーブルと対応する一端または他のシールド層に間隙を形成し、
前記取付部は、間隙部に近くてシールド層を固定し、
前記シールド部は、取付部または間隙部に近くてシールド操作を実現し、
前記シールド層のシールド部は互いに導電接続または電流接続され、直接接地またはフローティング接地が可能であり、好ましくは、フィルター部品を介してケーブルの接地端子と直列接続され、
前記シールド部は絶縁チューブで包まれて編組シールドに装着されることが好ましく、残りのシールド部は、螺旋状で編組シールドを最小限に巻き、編組シールドの第１端と第２端の間に延伸し、直接接地またはフローティング接地が可能である。
【請求項２】
螺旋シールドは、少なくとも一周を巻く裸線を含み、直接接地またはフローティング接地が可能であり、フィルター部品を介してケーブルの接地端子と直列接続されることが好ましく、および／または螺旋シールドと編組シールドは導電接続であることを特徴とする請求項１に記載のシールド部品。
【請求項３】
ケーブルがフローティング接地を可能にするフィルター部品は、好ましくは、≦０．１μＦの静電容量の蓄電器および／またはフェライトビーズであることを特徴とする請求項１に記載のシールド部品。
【請求項４】
螺旋シールドは裸線であり、その周回数および／または長さは、好ましくは、ケーブル直径またはケーブルの内部送信信号または電力の導体直径によって決めることを特徴とする請求項１に記載のシールド部品。
【請求項５】
一つ以上のシールド層の螺旋シールドの互いの間は電流接続され、好ましくは、フィルター部品を介してケーブルの接地端子と直列接続され、および／または少なくとも一つ以上のシールド層における螺旋シールドは互いに隔離され、および／または螺旋シールドを包んだ少なくとも一つ以上のシールド層は特定の応用によって互いに隔離されることを特徴とする請求項１に記載のシールド部品。
【請求項６】
シールド部の絶縁チューブおよび／または編組シールドは、接着剤、クランピングピース、および／またはプラスチックテープによって少なくとも一部の取付部にしっかり固定または取り付けられ、および／または取付部の両端の間に延伸することを特徴とする請求項１に記載のシールド部品。
【請求項７】
ケーブルのシールド部品に装着され、少なくともケーブルを包むシールド部品である熱収縮チューブをさらにも含み、好ましくは、外部シースとしてケーブルの各構成要素、一部、シールド層および／または層を保護および固定することを特徴とする請求項１に記載のシールド部品。
【請求項８】
螺旋シールドは裸線であり、好ましくは、ケーブルおよび／またはケーブルで包む導体の直径と反比例する周回数および／または軸の長さを有することを特徴とする請求項１に記載のシールド部品。
【請求項９】
周回数が１〜５０の範囲内であり、好ましくは、１〜４０であり、および／またはケーブル直径が２〜６０ｍｍの範囲内であり、好ましくは、４〜３０ｍｍであることを特徴とする請求項８に記載のシールド部品。
【請求項１０】
シールド部の絶縁チューブおよび／または編組シールドは、シールド層をカバーして対応するシールド層の間隙部からシールド部まで延伸するように設置され、および／またはケーブルの両端と対応するケーブルのコネクタと隔離するように設置されることを特徴とする請求項１に記載のシールド部品。
【考案の詳細な説明】
【技術分野】
【０００１】
本考案は、シールド部品に関し、より詳しくは、ケーブルを包む、巻くまたは囲む方式でアナログ信号および／またはデジタル信号、および／またはＡＣおよび／またはＤＣ電流を送信する、最適なシールド効果と送信品質を提供するシールド部品である。
【背景技術】
【０００２】
通常、電気ノイズは電磁干渉の形で放射または伝導され、電子機器の正常な動作が妨けるため、電磁干渉の影響を最小限に抑えるシールド装置が必要である。ケーブルは、電磁干渉の送信における主な送信機でありながら受信機である。送信機として、ケーブルは他の装置にノイズを伝導するか、またはノイズを放射するアンテナになる。受信機として、ケーブルは他の発生源からの電磁干渉信号を受信する。
【０００３】
ケーブル内の電磁干渉に対処する主な方法は、シールド装置を使用することである。シールド装置は、ケーブルの内側にある、信号または電力を送信する導体を包み、下記の二つの方法により電磁干渉を防ぐ。（１）エネルギーを反射する；（２）ノイズを受信し、接地伝導を行う。上記の二つの場合、電磁干渉は導体に接触しない。いずれも、エネルギーが理由無く大幅に低減されなかった場合、一部がシールド装置を通して、上記の干渉を起こす。
【０００４】
ケーブルには、異なる程度のシールド装置が設けられ、異なる程度のシールド効果を有する。シールド装置の数は、ケーブルが使用される場合の電気的環境、ケーブルのコスト（通常は、ケーブルシールド装置が多いほど、ケーブルが高くなる）、およびケーブルの直径、重量および柔軟性などの要素によって決まる。したがって、より安価で、より高いまたは理想的なシールド効果を有するシールド装置を生産することは実行可能である。
【考案の概要】
【０００５】
本考案は、ケーブルを包む、巻くまたは囲む方式でアナログ信号および／またはデジタル信号、および／またはＡＣおよび／またはＤＣ電流を送信するシールド部品であって、一つ以上のシールド層、間隙部、取付部、シールド部を含み、
前記シールド層は、少なくとも一部のケーブルを包み、
前記間隙部は、好ましくは、ケーブルの一端に取り付けられ、前記間隙部はケーブルと対応する一端または他のシールド層に間隙を形成し、
前記取付部は、間隙部に近くてシールド層を固定し、
前記シールド部は、取付部または間隙部に近くてシールド操作を実現し、
前記シールド層のシールド部は互いに導電接続され、直接接地またはフローティング接地が可能であり、好ましくは、フィルター部品を介してケーブルの接地端子と直列接続され、
前記シールド部は絶縁チューブで包まれて編組シールドに装着されることが好ましく、残りのシールド部は、螺旋状で編組シールドを最小限に巻き、編組シールドの第１端と第２端の間に延伸し、直接接地またはフローティング接地が可能である。
【０００６】
一部の実施例において、螺旋シールドは、少なくとも一周を巻く裸線を含み、直接接地またはフローティング接地が可能であり、フィルター部品を介してケーブルの接地端子と直列接続されることが好ましく、および／または螺旋シールドと編組シールドは導電接続である。
【０００７】
一部の実施例において、ケーブルがフローティング接地を可能にするフィルター部品は、好ましくは、≦０．１μＦの静電容量の蓄電器および／またはフェライトビーズである。
【０００８】
その他の一部の実施例において、螺旋シールドは裸線であり、その周回数および／または長さは、好ましくは、ケーブル直径またはケーブルの内部送信信号または電力の導体直径によって決める。
【０００９】
一部の実施例において、少なくとも一つ以上のシールド層の螺旋シールドの互いの間は電流接続され、好ましくは、フィルター部品を介してケーブルの接地端子と直列接続され、および／または少なくとも一つ以上のシールド層における螺旋シールドは互いに隔離され、および／または螺旋シールドを包んだ少なくとも一つ以上のシールド層は互いに隔離される。
【００１０】
一部の実施例において、シールド部の絶縁チューブおよび／または編組シールドは、接着剤、クランピングピース、および／またはプラスチックテープによって少なくとも一部の取付部にしっかり固定または取り付けられ、また、取付部の両端の間に延伸する。
【００１１】
一部の実施例において、ケーブルのシールド部品に装着され、少なくともケーブルを包むシールド部品である熱収縮チューブをさらにも含み、好ましくは、外部シースとしてケーブルの各構成要素、一部、シールド層および／または層を保護および固定する。
【００１２】
一部の実施例において、螺旋シールドは裸線であり、好ましくは、ケーブルおよび／またはケーブルで包む導体の直径と反比例する周回数および／または軸の長さを有する。
【００１３】
一部の実施例において、周回数が１〜５０の範囲内であり、好ましくは、１〜４０であり、および／またはケーブル直径が２〜６０ｍｍの範囲内であり、好ましくは、４〜３０ｍｍである。
【００１４】
一部の実施例において、シールド部の絶縁チューブおよび／または編組シールドは、シールド層をカバーして対応するシールド層の間隙部からシールド部まで延伸するように設置され、および／またはケーブルの両端と対応するケーブルのコネクタと隔離するように設置される。
【図面の簡単な説明】
【００１５】
【図１】本考案において、シールド層を一つ有するシールド部品を示す図である。
【図２】本考案において、シールド層を三つ有する他のシールド部品を示す図である。
【図３】本考案において、フィルター部品を有するシールド部品を示す図である。
【考案を実施するための形態】
【００１６】
本考案のいくつかの好ましい実施例を図面と合わせて詳しく説明する。
【００１７】
アルミホイルと編組層は、ケーブルに一般的に使用される二つのシールド装置であり、本考案のシールド部品は、この二つを同時に使用する。
【００１８】
アルミホイルとシールド層には、アルミニウムの薄層を使用し、主にポリエステルのような担体に付着し、強度と耐久性を増加させる。囲む導体を完全にカバーすることができるが、非常に薄いため、操作が難しい（特に、コネクタを設置する時）。
【００１９】
編組層は、低抵抗接地線を使用することで、在安裝コネクタを設置する際に、圧着端子接続または溶接端子接続を容易に行える。しかし、編組シールドは導体を完全にカバーできない。カバーする際には、小さい間隙が出る。編組密度の差異によって、編組層のカバー率は７０％〜９５％である。ケーブルが固定される場合、通常は７０％のカバー率は十分である。銅の導電率がアルミニウムの導電率よりも優れているため、編組層は騒音を伝導するための空間がより大きい。したがって、編組層によりケーブルのサイズとコストを増加させるが、シールド層としての、シールド効果がより優れている。
【００２０】
本考案において、アルミホイルおよび／または編組層は、一次および／または二次シールドとして、少なくとも一周の裸線を含む螺旋シールドは、余分の一次または他の一次シールドとして、最適なシールド効果を提供し、より高い信号と電力の送信品質を維持する。シールド抵抗を低下させることでシールド効果を増加することができ、任意のフィルター部品が簡単に迅速且つ信頼性の高い端子接続および／またはフローティング接地を行え、これにより、グランドループを排除し、グランドループによって発生するカップリングノイズを減らすことができる。
【００２１】
本考案のシールド部品を示す図１を参照されたい。図１において、ケーブルを包む、巻くまたは囲む方式でアナログ信号および／またはデジタル信号を送信するシールド部品１０は、少なくとも一部のケーブルを包む、少なくとも一つのシールド層１０００と、好ましくは、ケーブルの一端に取り付けられ、前記間隙部はケーブルと対応する一端または他のシールド層に間隙を形成する間隙部１４０と、間隙部に近くてシールド層を固定する取付部１２０と、取付部または間隙部に近くてシールド操作を実現するシールド部１００とを含む。
【００２２】
一部の実施例において、第１シールド層の間隙部の長さは０〜１０ｍｍの範囲内であり、好ましくは、１〜９ｍｍであり、取付部の長さは０〜２０ｍｍの範囲内であり、好ましくは、５〜１５ｍｍである。
【００２３】
少なくとも一つ／一つ以上のシールド層のシールド部において、互いの間は導電接続または電流接続され、直接接地またはフローティング接地が好ましく、例えば、フィルター部品を介してケーブルの接地端子と直列接続されることが好ましい（図示せず）。
【００２４】
一部の実施例において、少なくとも一つ以上のシールド層の螺旋シールドの互いの間は電流接続され、好ましくは、フィルター部品を介してケーブルの接地端子と直列接続され、および／または少なくとも一つ以上のシールド層における螺旋シールドは互いに隔離され、および／または螺旋シールドを包んだ少なくとも一つ以上のシールド層は互いに隔離される。そのため、複数のシールド層における螺旋シールドの間および／または螺旋シールドを包んだシールド層は、特定の応用によって互いに隔離される、隔離されないまたは両者が混在している。
【００２５】
前記シールド部は絶縁チューブで包んで編組シールドに装着することが好ましい。直接接地可能またはフローティング接地が好ましい螺旋シールドを一つ有し、少なくとも一部が編組シールドに巻かれ、基本的には編組シールドの両端の間で延伸する。類似する結果を得るためには、いくつかの接地方式があるが、異なる設置方式の効果も異なり、出力する音声品質も異なる。
【００２６】
採用する接地方式と関係なく、必要に応じて裸線を接地させることが好ましい。また、裸線は任意の特定位置に接地しても良いが、これは、編組層に装着された裸線は任意の位置に接地しても良いためである。
【００２７】
一部の実施例において、螺旋シールドは少なくとも一周を巻いた裸線を含む。直接接地またはフローティング接地が可能であり、ケーブルの接地端子および／またはケーブルの電気部品の任意の接地位置および／または地面と直列接続することが好ましく、および／または螺旋シールドと編組シールドは導電接続され、および／または螺旋シールドはケーブルのプリセット位置に装着され、特定作用を果たす可能性もあり、好ましくは、ケーブルの出力端に近い位置に取り付けられ、最適な出力品質を実現する。
【００２８】
本考案の他のシールド部品を示す図２を参照されたい。図２において、ケーブルを包む、巻くまたは囲む方式でアナログ信号および／またはデジタル信号を送信するシールド部品２０は、図１に示すものと類似するが、複数のシールド層１０００、２０００、３０００をさらに含み、各シールド層はそれぞれ少なくとも一部のケーブルを包み、好ましくは、ケーブルの一端に取り付けられる間隙部を有し、前記間隙部はケーブルと対応する一端または他のシールド層に間隙を形成し、間隙部に近くてシールド層を固定する取付部１２０、２２０、３２０を有し、取付部または間隙部に近くてシールド操作を実現するシールド部１００、２００、３００を有する。
【００２９】
一部の実施例において、シールド部の各絶縁チューブ１５０、２５０、３５０および／または編組シールド１３０、２３０、３３０は、接着剤，ゴムリング（図示せず）などのクランピングピースを介して、および／またはプラスチックテープ１３５、２３５、３３５で取付部、シールド部および／または下のケーブルにしっかり固定または取付され、および／または取付部および／またはシールド部の両端の間で延伸する。
【００３０】
一部の実施例において、第１、第２およびその後のシールド層の中で、各間隙部の長さの範囲は０〜１０ｍｍであり、第２およびその後のシールド層の中で、各取付部の長さの範囲は０〜２０ｍｍであり、好ましくは５〜１５ｍｍである。そのため、第１、第２およびその後のシールド層には、特定作用を果たす間隙部および／または取付部を取り付けしなくても良くなる。全ての間隙部と取付部の配置、長さと位置がことなる可能性があり、前述したのは実現可能な実施例として、さまざまな設置および生産目的に合わせたものであり、各金属編組層が如何に前後のシールド層に近づいて取り付けられても、または前後の金属編組層を完全にカバーしても、またはそれらに完全にカバーされても良い。また、裸線を有する接地螺旋シールドは各シールド層の任意の特定位置に取り付けられることで、シールド操作を実現することもできる。
【００３１】
一部の実施例において、取付部の長さは≧１０ｃｍまで増加させても良く、螺旋シールドが環状ではなく、螺旋状をなすことも可能である。しかし、金属編組層を囲んで延伸する螺旋シールドが環状、螺旋状または直線を成しても、取付部に取り付けられた裸線の長さは、下記の表と一致または類似する。これに基づいて、最も重要なのは裸線と取り付けられた金属編組層の間の実際の送信長さの範囲であり、裸線が金属編組層と如何に接触しているかに関わらない（例えば、金属編組層に沿って、環状、螺旋状または直線を成しても良い）。実質的に、螺旋シールドの設計設置は、生産を便利にすることが目的であり、さらに、本設計をケーブルの多数の金属編組層に応用することが目的である。
【００３２】
一部の実施例において、シールド部の絶縁チューブおよび／または編組シールドは、シールド層をカバーして対応するシールド層の間隙部からシールド部まで延伸するように設置され、および／またはケーブルの両端と対応するケーブルのコネクタと隔離するように設置される。
【００３３】
一部の実施例において、ケーブルのシールド部品に装着され、少なくともケーブルのシールド部品を包む熱収縮チューブ（図示せず）をさらにも含み、好ましくは、外部シースとしてケーブルの各構成要素、一部、シールド層および／または層を保護および固定する。同様に、各シールド層は取付部を必要としない可能性もあり、全ての層は収縮外部シースにより適切な位置に固定される。一部の実施例において、シールド部品は、絶縁材料（例えば、プラスチック）からなる内側シース５に取り付けられる可能性もあり、内側シースはケーブル３を包み、前記ケーブルは信号または電力を送信する導体を一つ以上有する。一部の実施例において、ケーブル３は、一つの信号ケーブル、電力ケーブル、および／または一つの一つ以上の導体を有する同軸ケーブルを含む。
【００３４】
本考案の他のシールド部品３０を示す図３を参照されたい。図３において、裸線の一端３１８がケーブルフィルター部品３８０を介して接地端と直列接続する以外は、シールド部品３０の設置は図２に類似する。
【００３５】
一部の実施例において、対応するシールド層の螺旋シールド１１０、１２０、１３０の互いの間は電流接続され、直接接地またはフローティング接地が可能であり、好ましくは、ケーブルフィルター部品３８０で接地端と直列接続する。
【００３６】
一部の実施例において、ケーブルがフローティング接地を可能にするフィルター部品は、好ましくは、≦０．１μＦの静電容量の蓄電器および／またはフェライトビーズである。
【００３７】
一部の実施例において、螺旋シールドは裸線であり、その周回数および／または軸の長さは、ケーブルの直径と反比例することが好ましい（図２に示す）。
【００３８】
一部の実施例において、周回数は１〜５０の範囲内であり、好ましくは１〜４０であり、および／またはケーブル直径は２〜６０ｍｍの範囲内であり、好ましくは４〜３０ｍｍである。
【００３９】
一部の実施例において、螺旋シールドまたは裸線の周回数および／または長さは、下記の表に示すように、好ましくは、ケーブルの直径またはケーブルの内部信号または電力送信導体の直径によって決める。
【００４０】
【表１】
0003228885.tif 000003
0003228885.tif 000004
【００４１】
一部の実施例において、シールド部品は、オーディオケーブルと共に使用され、またはオーディオケーブルを包むように設置され、本考案のシールド部品における多数のシールド層は、できる限り電磁干渉およびその他のノイズをブロックしているため、その出力／音質は顕著に改善されている。
【００４２】
本実用新案請求の範囲に記載されている特徴（必要に応じて組み込むことも可能）は本考案を構成し、引用により本書に組み込まれる。
【００４３】
本考案の様々な例または実施形態は説明のためであり、範囲を限定するものではない。本考案は、様々な態様において様々な変更が可能であり、限定として解釈されるものではないことを理解されたい。
【図１】
0003228885.tif 000005
【図２】
0003228885.tif 000006
【図３】
0003228885.tif 000007